(57)【要約】【課題】屋内使用時における表示装置の軽量化を図ると共に、屋外使用時には適切に表示部を冷却する。【解決手段】  表示装置１００は、表示パネル２と、これを収容する筐体１と、表示パネル２の表示面側に配置される透明部材５、透明部材５と表示パネル２の間に空気流を強制的に発生させるファンを有するカバー部材１０を有する。カバー部材１０は、透明部材５、ファン６、連結部材７等でなり、筐体１に対し着脱可能である。透明部材５は、カバー部材１０を筐体１に装着したとき、ちょうど表示パネル２の表示面の前方に配置される。ファン６は、カバー部材１０を筐体１に装着したとき、表示パネル２の上側、筐体１の上側に配置される。【選択図】図２
2011039152.tif 000002
【特許請求の範囲】
【請求項１】
表示部と、
表示部を収容する筐体と、
表示部の表示面側に配置される透明部材、及び該透明部材と表示部の間に空気流を強制的に発生させる空気流発生手段を有するカバー部材と、
を備え、
前記カバー部材が、前記筐体に対し着脱可能であることを特徴とする表示装置。
【請求項２】
表示部を備える表示装置の筐体に対し着脱可能なカバー部材であって、
前記表示部の表示面側を覆うための透明部材と、
該透明部材の表面上に空気流を強制的に発生させる空気流発生手段と、
を備えることを特徴とするカバー部材。
【発明の詳細な説明】
【技術分野】
【０００１】
本発明は、表示部を冷却する構成を備えた表示装置、又は表示部を冷却するためのカバー部材に関する。
【背景技術】
【０００２】
近年の表示装置は、表示部に液晶パネルを用いているディスプレイが主流になりつつある。
【０００３】
また、直射日光が照射される環境下での使用に適した表示装置の開発も盛んである。例えば特許文献１では、液晶パネルの表示面側に空気流を発生させるためのファンを備えた表示装置が開示されている。
【特許文献１】米国特許公開公報２００９／０１４７１７０
【発明の開示】
【発明が解決しようとする課題】
【０００４】
ユーザは、普段屋内で使用している表示装置を、時折、屋外や窓際など日光のあたる環境下で使用したいと考える場合がある。
【０００５】
そのような使用を望むユーザは、現状、空気流を発生させるためのファン等の冷却機構を内蔵した表示装置を購入せざるを得ない。しかし、屋内の常温環境で使用する場合、上記ファン等による冷却機構は不要である。それにも関わらず、このような冷却機構があると表示装置が大型化するし、重量も大きくなるので持ち運びに不便である。
【０００６】
本発明は、係る問題の解決を目的とする。
【課題を解決するための手段】
【０００７】
本発明のある態様は、表示装置に関する。この表示装置は、表示部と、表示部を収容する筐体と、表示部の表示面側に配置される透明部材、及び該透明部材と表示部の間に空気流を強制的に発生させる空気流発生手段を有するカバー部材と、を備え、前記カバー部材が、前記筐体に対し着脱可能であることを特徴とする。
【０００８】
本発明のある態様は、表示部を備える表示装置の筐体に対し着脱可能なカバー部材に関する。このカバー部材は、前記表示部の表示面側を覆うための透明部材と、該透明部材の表面上に空気流を強制的に発生させる空気流発生手段と、を備えることを特徴とする。
【発明の効果】
【０００９】
本発明では、表示部の前面に空気流を発生させるカバー部材が筐体に対し着脱可能であるから、屋内使用時における表示装置の軽量化を図ることができ、かつ屋外使用時は適切に表示部を冷却できる。
【発明を実施するための最良の形態】
【００１０】
図１及び図２は、本発明の実施例である表示装置１００の構成を示す図である。
【００１１】
図１は、後述するカバー部材１０を装着しないときの表示装置１００の本体部分を示す図である。同図の(a)は表示装置１００を正面（表示面側）から見た図であり、(b)は側方断面図である。
【００１２】
表示装置１００の本体部分は、表示パネル２、導光板３、光源４などを有する。またこれらを収容する筐体１からなる。
【００１３】
表示パネル２は、画像を表示するものであり液晶パネルで構成される。光源４は、例えばハロゲンランプ等で構成される。導光板３は、光源４からの光を表示パネル３へ導く。導光板３の形状は、光源４からの光が表示パネル２の全体でほぼ均一な輝度になるよう設計されている。
【００１４】
また、図示していないが、筐体１内には、表示パネル２を制御するための回路や、光源４を駆動するための回路、表示パネル２で表示すべき画像信号の信号処理を行う回路、図示しないスピーカから出力される音声信号を処理するための回路等が内蔵されている。また、後述するファン７を制御するための回路を含んでいても良い。
【００１５】
図２は、カバー部材１０を筐体１に装着したときの表示装置１００を示す図である。同図の(a)は表示装置１００を正面から見た図であり、(b)は側方断面図である。
【００１６】
カバー部材１０は、透明部材５、ファン６、連結部材７などからなる。透明部材５は、例えばガラス、或いは、透明なプラスチックで構成されている。カバー部材１０を筐体１に装着したとき、透明部材５は、ちょうど表示パネル２の表示面の前方に配置されるように構成されている。透明部材５を透明としているのは、表示装置１００の前方から表示パネル２の表示面を視認可能とするためである。
【００１７】
ファン６は、カバー部材１０を筐体１に装着したとき、表示パネル２の上側、筐体１の上側に配置されるように構成されている。カバー部材１０を筐体１に装着して、ファン６を駆動させると、図２(b)に示すように、透明部材５と表示パネル２の間で空気流が発生する。即ち、表示パネル２の表示面側に下から上方向の空気流が発生する。これにより、表示パネル２の表示面側を冷却させることができる。
【００１８】
また、透明部材５とファン６は連結部材７を介して連結されている。これにより、透明部材５とファン６は、筐体１に対して一体的に着脱することが可能となっている。
【００１９】
図３は、表示装置１００を、図２のA-A'断面で切ったと仮定した場合において、カバー部材１０を正面からみたときの図である。図３で示すように、カバー部材１０を筐体１に装着すると、ファン６は、表示装置１００の上側において、水平方向に複数配置されるようになる。
【００２０】
係る表示装置１００によれば、表示パネル２の前面に空気流を発生させるカバー部材１０が本体部分に対し着脱可能であるから、屋内使用時においてはカバー部材１０を本体部から外して使用できる。これにより、屋内使用時は表示装置１００の軽量化、小型化が図れるので、配置スペースの節減や運搬時の便宜をもたらす。また、屋外使用時、或いは屋内でも窓際など高温になる場所に設置するときは、カバー部材１０を本体部に装着して使用できる。これにより、屋外使用時などにおいては、適切に表示部を冷却できる。
【００２１】
以上、実施例を用いて、本発明の例を説明した。なお、これらの実施例は特許請求の範囲に記載の発明を限定し、或は範囲を減縮する様に解すべきではなく、また、本発明の各部構成は上記実施例に限らず、特許請求の範囲に記載の技術的範囲内で種々の変形が可能であることは勿論である。
【００２２】
例えば、透明部材５は、太陽光を遮るための紫外線フィルタや、赤外線フィルタ、偏光板を含んでいても良い。
【００２３】
図１等で図示していないが、表示パネル２の下方にもファンを備えていても良い。このファンによって、表示パネル２の前面により強い空気流を発生させることができる。
【００２４】
ファン７は、カバー部材１０が筐体１に装着されたことを検知したら、自動的に回転を始めるものであっても良い。あるいは、本体部から電源が供給されることで駆動を開始するものでもよい。図示しない温度センサにより所定値以上の温度であると判定された場合のみに駆動しても良い。ユーザによる手動スイッチ、又はリモコン操作を契機に駆動するものでも良い。
【００２５】
上記では、縦長の表示面を有する表示装置１００を例に説明したが、横長の表示面を有する表示装置１００に対しても本発明が適用可能なことは言うまでもない。
【００２６】
表示部の例として液晶表示パネルを例に説明したが、これに代えて、プラズマパネル、有機ＥＬ、電子ペーパー、ＣＲＴなどでも良い。
【図面の簡単な説明】
【００２７】
【図１】カバー部材１０を装着しないときの表示装置１００の構成を示す図である。（ａ）は外観正面図であり、（ｂ）は側方断面図である。
【図２】カバー部材１０を装着したときの表示装置１００の構成を示す図である。（ａ）は外観正面図であり、（ｂ）は側方断面図である。
【図３】表示装置１００を、図２のA-A'断面で切ったと仮定した場合において、カバー部材１０を正面からみたときの図である。
【符号の説明】
【００２８】
１  筐体
２  表示パネル
５  透明部材
６  ファン
７  連結部材
１０  カバー部材
【図１】
2011039152.tif 000003
【図２】
2011039152.tif 000004
【図３】
2011039152.tif 000005